(57)【要約】      （修正有）【課題】被包装物が収納されたトレーの下流側折込み代の上下ばたつきを防止し、包装不良をなくす。【解決手段】フィルム裁断機で裁断されたチューブ状フィルム４９で被覆されたトレーＴを搬送する一対の第２サイドコンベアが配置され、一対のこのコンベア間の下方部に、チューブ状フィルムの上流側の折込み代を吸引にて引き込む幅広い引き込み開口部を有するエンドレスコンベア７９が配置され、エンドレスコンベア内部に上流側の折込み代を吸引する吸引チャンバーが配置され、エンドレスコンベアは、エンドレスチェーン間に、複数のロッドが並列に架設され、ロッドの上流側の縁部が隣接するロッド間の隙間方向に突出して隙間を埋め、ロッドの上面の支持面６６が平らに形成され、下流側の折込み代５１が波打たないようにエンドレスコンベアの平らな支持面とトレーの底面とで挟み込まれる。【選択図】図７
2018002157.tif 000002
【特許請求の範囲】
【請求項１】
被包装物を収納したトレーを載置して下流の引き取りコンベア側に搬入する搬入コンベアと、引き取りコンベアで搬送される前記トレーに帯状フィルムを被せて、この帯状フィルムの両側縁を下方で合掌状に重ね合わせてチューブ状フィルムとするオーバーラップ機構と、前記トレー間のチューブ状フィルムを裁断するフィルム裁断機と、フィルム裁断機で裁断されたチューブ状フィルムの下流側の折込み代を吸引して前記トレーの底面に折込む第１のフィルム折込み機構と、フィルム裁断機の下流側に配置され、チューブ状フィルムの上流側の折込み代を前記トレーの底面に折込む第２のフィルム折込み機構と、を備えた包装装置において、
前記第２のフィルム折込み機構は、フィルム裁断機で裁断されたチューブ状フィルムで被覆された前記トレーを搬送する一対のサイドコンベアが配置され、前記一対のサイドコンベア間の下方部に、前記チューブ状フィルムの上流側の折込み代を吸引して引き込む引き込み開口部を有するエンドレスコンベアが配置され、前記エンドレスコンベア内部に前記チューブ状の上流側の折込み代を吸引する吸引チャンバーが配置され、前記エンドレスコンベアの上面は平らで、下流側の折込み代が波打たないように前記エンドレスコンベアの平らな上面とトレーの底面とで挟み込まれる構成とした、
ことを特徴とするフィルム折込み機構を備えた包装装置。
【請求項２】
前記エンドレスコンベアは、平行な一対のエンドレスチェーン間に、複数のロッドが並列に架設され、ロッドの一方の縁部が隣接するロッド間の隙間方向に突出して隙間を埋め、前記ロッドの上面の支持面が平らに形成されている、ことを特徴とする請求項１に記載のフィルム折込み機構を備えた包装装置。
【請求項３】
前記エンドレスコンベアは、平行な一対のエンドレスチェーン間に、板体が架設されており、該板体本体は平板であって、該板体本体の一方の縁部が隣接する板体本体間の隙間方向に延在して下方に折曲げられ前記隙間を埋めていることを特徴とする請求項１に記載のフィルム折込み機構を備えた包装装置。
【請求項４】
前記エンドレスコンベアは、弾性を有する平板な弾性板であることを特徴とする請求項１に記載のフィルム折込み機構を備えた包装装置。
【発明の詳細な説明】
【技術分野】
【０００１】
本発明は、被包装物をトレーに収納して、帯状フィルムによってチューブ状に包み込んだ後、前記チューブ状フィルムの両端部に折込み代を持たせて切断すると共に、前記両端部の折込み代をトレーの底面に折込むフィルム折込み機構を備えた包装装置に関するものである。
【背景技術】
【０００２】
図１５は特許文献１の包装装置の正面断面図である。この図１５に示す通り、下側の刃１０と上側の逆溝型の刃物受け１１とからなる切断機構１２の前後に、それぞれ吸入管１３，１４を設けており、特に下流側の吸入管１４の周囲にはチェーン回転体１５を複数のホイールに支持して配置すると共に、両側一対のチェーン回転体１５には多数の棒材１６，１６・・・を架設している。
【０００３】
チューブ状フィルムＦに覆われた多数のトレーＴ、Ｔ・・・は、両側からエンドレスベルトにて挟持され、これらベルトの回転でもって縦列方向に運搬されるもので、刃物受け１１の仮想線１１aのような下降によって各トレーＴ、Ｔの間でチューブ状フィルムＦが切断されると、このチューブ状フィルムＦの上流側と下流側の折込み代Ｆ２，Ｆ１はそれぞれ吸入管１４、１３内に吸入され、下流側の折込み代Ｆ１はトレーＴの搬送力で、また上流側の折込み代Ｆ２は高速回転するチェーン回転体１５によってそれぞれトレーＴの底面に折曲げられる。
【０００４】
チェーン回転体１５はその一部において棒材１６，１６の間に大きな隙間４０を形成し、切断機構１２がチューブ状フィルムＦを切断する瞬間には必ず隙間４０が刃１０の近くで上向きに開口するようにチェーン回転体１５が回転するよう構成されている。従って、切断されたチューブ状フィルムＦの上流側の折込み代Ｆ２は直ちに吸入管１４の吸入口内に吸込まれ、真空吸引力でもって上流側の折込み代Ｆ２を引張り、高速回転する棒材１６でチューブ状フィルムの上流側の折込み代Ｆ２をトレーＴの底面に折曲げる。
【先行技術文献】
【特許文献】
【０００５】
【特許文献１】特開平３−２１２３０７号公報
【発明の概要】
【発明が解決しようとする課題】
【０００６】
前記従来の包装装置は、図１６に示すように、チューブ状フィルムＦの下流側の折込み代Ｆ１にカール２９ができて包装不良となるという課題を有していた。即ち、図１６の左図に示す通り、トレーＴの底面に対して棒材１６が線接触しているため、前工程で折込まれたチューブ状フィルムＦの下流側の折込み代Ｆ１がバタつき（上下に波打つ）、棒材１６間の隙間（一対の棒材１６とトレーＴの底面との間にできる三角状の隙間部分）で、図１６の右図に示すように、下流側の折込み代Ｆ１の先端を巻き取る。その先端はトレーＴが進んで行く過程でカール２９ができて包装不良の原因となっていた。
【０００７】
本発明は、前述した従来の技術に関する前記課題に鑑み、これを好適に解決するべく提案されたものであって、チューブ状フィルムの下流側の折込み代にカールができることのない、フィルム折込み機構を備えた包装装置を提供することを目的とする。
【課題を解決するための手段】
【０００８】
前記課題を克服し、所期の目的を好適に達成するため、本発明に係る包装装置は、被包装物を収納したトレーを載置して下流の引き取りコンベア側に搬入する搬入コンベアと、引き取りコンベアで搬送される前記トレーに帯状フィルムを被せて、この帯状フィルムの両側縁を下方で合掌状に重ね合わせてチューブ状フィルムとするオーバーラップ機構と、前記トレー間のチューブ状フィルムを裁断するフィルム裁断機と、フィルム裁断機で裁断されたチューブ状フィルムの下流側の折込み代を吸引して前記トレーの底面に折込む第１のフィルム折込み機構と、フィルム裁断機の下流側に配置され、チューブ状フィルムの上流側の折込み代を前記トレーの底面に折込む第２のフィルム折込み機構と、を備えた包装装置において、前記第２のフィルム折込み機構は、フィルム裁断機で裁断されたチューブ状フィルムで被覆された前記トレーを搬送する一対のサイドコンベアが配置され、前記一対のサイドコンベア間の下方部に、前記チューブ状フィルムの上流側の折込み代を吸引して引き込む引き込み開口部を有するエンドレスコンベアが配置され、前記エンドレスコンベア内部に前記チューブ状の上流側の折込み代を吸引する吸引チャンバーが配置され、前記エンドレスコンベアの上面は平らで、下流側の折込み代が波打たないように前記エンドレスコンベアの平らな上面とトレーの底面とで挟み込まれる構成とした、ことを特徴とする。
【０００９】
また、本発明に係る包装装置は、前記エンドレスコンベアは、平行な一対のエンドレスチェーン間に、複数のロッドが並列に架設され、ロッドの一方の縁部が隣接するロッド間の隙間方向に突出して隙間を埋め、前記ロッドの上面の支持面が平らに形成されている、ことを特徴とする。
【００１０】
本発明に係る包装装置は、前記エンドレスコンベアは、平行な一対のエンドレスチェーン間に、板体が架設されており、該板体本体は平板であって、該板体本体の一方の縁部が隣接する板体本体間の隙間方向に延在して下方に折曲げられ前記隙間を埋めていることを特徴とする。
【００１１】
本発明に係る包装装置は、前記エンドレスコンベアは、弾性を有する平板なベルトであることを特徴とする。
【００１２】
本発明の包装装置は、エンドレスコンベアの上面を平らな面とし、該平らな面でトレーの下流側の折込み代を受けることにより、トレー底面に折込まれた前記下流側の折込み代が、エンドレスコンベア上面で上下にばたつく（上下に波打つ）のを抑制することができる。このため、下流側の折込み代が上下にばたつくことにより前記下流側の折込み代の端部にカールができることがなくなり、包装不良をなくすることができる。
【００１３】
また、本発明のフィルム折込み機構を備えた包装装置は、トレーの底面に折込まれた上流側と下流側の折込み代をエンドレスコンベアの上面の平らな面で撫でることにより、トレーとフィルム及びフィルム同士の接着を確実にすることができる。
【発明の効果】
【００１４】
前記第２のフィルム折込み機構を備えた包装装置の構成により、下流側の折込み代が上下にばたつくことにより、下流側の折込み代の端部にカールができて包装不良を起こすことをなくすることができる。
【図面の簡単な説明】
【００１５】
【図１】本発明のフィルム折込み機構を備えた包装装置の正面図
【図２】本発明のフィルム折込み機構を備えた包装装置の平面図
【図３】本発明のフィルム折込み機構の正面図
【図４】実施例１に係るフィルム折込み機構のエンドレスコンベアの展開図と正面図
【図５】実施例１のエンドレスコンベアを構成するロッドの部分斜視図
【図６】実施例１のエンドレスコンベアの一部を構成する他のロッドの側面図
【図７】実施例１のエンドレスコンベアの部分拡大使用状態図
【図８】実施例１のエンドレスコンベアの使用状態図
【図９】実施例１のエンドレスコンベアの使用状態図
【図１０】実施例２に係るフィルム折込み機構のエンドレスコンベアの展開図と正面図
【図１１】実施例２のエンドレスコンベアを構成する板体の側面断面図、平面図、正面図
【図１２】実施例２のエンドレスコンベアの部分拡大使用状態図
【図１３】実施例３のエンドレスコンベアを構成する平板なベルトの平面図、正面図
【図１４】実施例３のエンドレスコンベアを構成する平板なベルトの正面図
【図１５】従来のトレー包装機に係るフィルム折曲装置の正面断面図
【図１６】従来のトレー包装機の使用状態図
【発明を実施するための形態】
【００１６】
次に、本発明に係るフィルム折込み機構を備えた包装装置につき、実施例を挙げて、図面を参照しながら以下に説明する。なお、この実施の形態において、上流側、下流側は、帯状フィルム及び被包装物の移動方向に従って上流、下流を使い分ける。
【００１７】
（実施例１）
この包装装置は、被包装物を収納したトレーＴを等間隔に載置して下流側の引き取りコンベア４１側に送り込む搬入コンベア４２と、前記引き取りコンベア４１で搬送されているトレーＴの上方から、チャックチェーン４３により帯状フィルム（本実施例１では、シュリンクフィルムで説明するが、本発明はシュリンクフィルム４４には限定されない。）４４を被せて、この帯状フィルム４４の両側縁を下方でセンターローラ４５によって合掌状に重ね合わせ、帯状フィルム４４の粘着性を利用してチューブ状フィルム４９とするオーバーラップ機構４６と、引き取りコンベア４１の下流側に配置されチューブ状フィルム４９で被覆されたトレーＴを搬送する第１サイドコンベア４７と、トレーＴが包み込まれたチューブ状フィルム４９を所定間隔で裁断するフィルム裁断機４８と、第１サイドコンベア４７の下流側下部に配置され裁断されたチューブ状フィルム４９の下流側折込み代５１を吸引してトレーＴの底面に折込む第１のフィルム折込み機構５２と、フィルム裁断機４８の下流側に配置され、チューブ状フィルム４９の上流側折込み代５０を吸引して前記トレーＴの底面に折込む第２のフィルム折込み機構５３と、第１と第２のフィルム折込み機構５２，５３で両端部の折込み代５０，５１が折込まれたトレーＴを搬出しつつ底部のフィルムを収縮するヒータコンベア５４と、ヒータコンベア５４の上部に配置されトレーＴを押える押えコンベア５５と、トレーＴを被覆したチューブ状フィルム４９を全体的に収縮させるシュリンクトンネル５６と、で構成されている。
【００１８】
次に、図３を使って本件発明の第２のフィルム折込み機構について説明する。この第２のフィルム折込み機構５３は、正面視において上部の左、右に配置された上流側と下流側チェーンホイール５７，５８と、右下部に配置されたテンションホイール５９と、左下部に配置された駆動ホイール６０の４体のホイールを備えており、この４体のホイール５７〜６０にエンドレスチェーン６１が台形状にかけられている。なお、この４体のホイール５７〜６０は、図３の手前側と奥側に配置された一対のホイールがシャフトで連結されており、エンドレスチェーン６１により同時に回転する。前記駆動ホイール６０の右側には従動ホイール６２が配置され、両ホイール６０，６２間にはチェーン６３が巻かれており、このチェーン６３をテンションホイール６４により上方から押えてチェーン６３にテンションをかけている。前記従動ホイール６２の回転によりクランク機構８５が吸引チャンバー７７の吸引穴７８のシャッターを開閉する。
【００１９】
図４は前記エンドレスコンベアを展開した平面図と、正面図を示している。エンドレスチェーン６１には、前記ロッド６５が多数並列に架け渡されている。ロッド６５は図５の斜視図に示すように、長尺なプラスチック製の棒体であって、正面視において上面の支持面６６と底面６７が平らで、上流側の上方の縁部６８が上流側のロッド６５間の隙間方向へ三角形状に突出し、ロッド６５間の上方の隙間を埋めている。ロッド６５の下流側側面６９は半円形に形成され、上流側側面７０は前記三角形状で上方の縁部６８の湾曲した側面から底面側に垂下し、上流側のロッド６５の下流側側面６９と干渉しないように形成され、ロッド６５を固定する固定ピン７１を中心に正逆方向に回動可能である。ロッド６５の両端部には、ロッド６５を前記エンドレスチェーン６１に固定するための軸穴７２が形成されており、エンドレスチェーン６１に挿通された前記固定ピン７１が前記軸穴７２に挿通されてロッド６５がエンドレスチェーン６１に架設されている。
【００２０】
エンドレスコンベア７９には、チューブ状フィルム４９の上流側折込み代５０を吸引して引き込むための引き込み開口部７３が設けられている。この引き込み開口部７３は従来の開口部と同様であって、所定の本数だけ前記ロッド６５が外されている。この引き込み開口部７３の両端には前記ロッド６５とは異なり、図６に示すように円柱状ロッド７４が架け渡されている。この円柱状ロッド７４は従来の前記棒材１６の形状と同じで、円柱状ロッド７４の両端に軸穴７５が形成され、エンドレスチェーン６１に挿通された固定ピン７６が前記軸穴７５に挿通されて円柱状ロッド７４が固定されている。この円柱状ロッド７４により上流側の折込み代５０が円柱状ロッド７４に引っかからないようになっている。
【００２１】
以上のように、エンドレスチェーン６１、ロッド６５、円柱状ロッド７４、引き込み開口部７３などで構成されたエンドレスコンベア７９がフィルム裁断機４８とヒータコンベア５４の間に配置されている。該エンドレスコンベア７９内には吸引チャンバー７７が設けられている。この吸引チャンバー７７の上流側の上面には吸引穴７８が形成されており、吸引チャンバー７７内が図示しない真空吸引装置により吸引された場合に、吸引チャンバー７７内が負圧になり、外気を吸い込む。前記エンドレスコンベア７９の引き込み開口部７３がこの吸引穴７８にさしかかった場合に、この引き込み開口部７３及び吸引穴７８からトレーＴの上流側の折込み代５０が吸引チャンバー７７内に引き込まれる。
【００２２】
前記エンドレスコンベア７９の上部両側には、第２サイドコンベア８０が設けられている。この第２サイドコンベア８０はチューブ状フィルム４９で被覆されたトレーＴを両側から挟んで下流側に搬送する。この第２サイドコンベア８０は前記エンドレスコンベア７９より搬送速度が遅く設定されており、後述するように、チューブ状フィルム４９の上流側折込み代５０をトレーＴの底面に折込むことができる。
【００２３】
なお、図８、図９に示すように、第１のフィルム折込み機構５２はフィルム裁断機４８と第１サイドコンベア４７の間に設けられている。前記第１のフィルム折込み機構５２は、上部が狭くなった風洞状の構造になっており、上部に吸引開口８１が設けられ、この吸引開口８１の上流側にローラ８２が回転可能に設けられている。この第１のフィルム折込み機構５２の作用については後述する。
【００２４】
次に、図８、図９を使って、第２のフィルム折込み機構の動作について説明する。該フィルム折込み機構５３のエンドレスコンベア７９の１サイクルは、図８、図９に示す引き込み開口部７３が上流側（図８，９では左上角部）の位置から、一周して同じ位置に戻るまでとする。この１サイクルの間に、チューブ状フィルム４９で被覆されたトレーＴは、第２サイドコンベア８０により、１サイクル分だけ下流側に送られる。即ち、エンドレスコンベア７９が１サイクル回転する間に、第２サイドコンベア８０に搬送されているトレーＴが、右側に示すトレーＴの位置まで１サイクル分送られる。なお、第２サイドコンベア８０は、連続的に同じ速度で回転しており、トレーＴは、第２サイドコンベア８０によって、同速度で連続的に上流側から下流側に搬送される。また、エンドレスコンベア７９は同速度又は間欠的に回転しているが、前記第２サイドコンベア８０よりも回転速度は速く設定されている。
【００２５】
図８の（１）に示すように、エンドレスコンベア７９がスタート位置にあるとき、トレーＴは引き込み開口部７３の下流側に位置する。このエンドレスコンベア７９上のトレーＴと上流側のトレーＴとはチューブ状フィルム４９で繋がっており、切り離されてはいないが、両トレーＴ間の上部に位置するフィルム裁断機４８の刃物受け８３が下降して刃物８４に嵌まり込んでいる。
【００２６】
図８（２）に示すように、刃物受け８３と刃物８４でチューブ状フィルム４９を裁断する。裁断されたチューブ状フィルム４９の下流側の折込み代５１は第１のフィルム折込み機構５２の吸引開口８１により吸引され、下流側の折込み代５１を折込む準備に入る。他方、図８の（１）と（２）の間で、上流側の折込み代５０は、吸引チャンバー７７により吸引されて、エンドレスコンベア７９の引き込み開口部７３と、吸引チャンバー７７の吸引穴７８から引き込まれる。エンドレスコンベア７９上のトレーＴは下流側に搬送されるが、第２サイドコンベア８０の搬送速度がエンドレスコンベア７９の速度より遅いので、上流側の折込み代５０は引き込み開口部７３によりトレーＴの底面に折込まれる。その際、図４に示すように、エンドレスコンベア７９のロッド６５間の隙間をなくして上面を平らな面とし、トレーＴの底面を平らな支持面６６で受けることにより、図７に示すように、トレーＴ底面に折込まれた下流側の折込み代５１が、エンドレスコンベア７９上面でばたつく（上下に微妙に波打つ）のを抑え込むことができる。このため下流側の折込み代５１が上下にばたつくことにより、下流側の折込み代５１の端部にカールができることによる包装不良をなくすることができる。しかも、トレーＴの底面に折込まれた上流側折込み代５０と下流側折込み代５１をエンドレスコンベア７９の平らな支持面６６で撫でることによりトレーＴとフィルム４４及びフィルム４４同士の接着を確実にすることができる。
【００２７】
前記のように、図８（２）に示す吸引開口８１により吸引された上流側トレーＴの下流側の折込み代５１は、折込む準備に入っている。さらに、図８（３）に示すように、下流側のトレーＴは完全に折込みが完了して下流側に搬送されて行くが、引き込み開口部７３はトレーＴを追い越して次の準備にはいっている。これに対して、上流側のトレーＴはフィルム裁断機４８の刃物８４上に乗りかかっている。  図９（４）は、上流側のトレーＴはフィルム裁断機４８の刃物８４上を通過する途中を示している。さらに、上流側と下流側のトレーＴは下流側に搬送され、図９（５）に示すように、上流側トレーＴの下流側の折込み代５１が完全に折込まれた状態にある。なお、下流側のトレーＴはエンドレスコンベア７９から搬出しかけている。さらに、図９（６）では、上流側のトレーＴはチューブ状フィルム４９が裁断の手前まできている。エンドレスコンベア７９の引き込み開口部７３は、スタート位置の手前まで来ている。さらに、図８（１）の状態に戻り、このようなサイクルを繰り返してトレーＴはフィルム４４で包装される。
【００２８】
（実施例２）
図１０は、実施例２のエンドレスコンベアを展開した平面図と正面図である。図１０に示すように、この実施例２のエンドレスコンベア９０は、前記ロッド６５の代わりに、長尺な板体９１を架設している。この板体９１は、金属プレートで出来ており、図１１の下段の側面図に示すように、板体本体９２の上面は平らな面であって、該板体本体９２の下流側の縁部９３が隣接する板体９１間の隙間方向に延在して下方に折曲げられる。前記縁部９３により、板体９１の間の隙間を埋めている。前記板体９１の両端部は、Ｌ字形のブラケット９４により、エンドレスチェーン６１に架設されている。この実施例２のエンドレスコンベア９０も引き込み開口部９５を備えており、引き込み開口部９５の上流側には、図６に示すような円柱状ロッド７４が取り付けられている。
【００２９】
上記のように、実施例２のエンドレスコンベア９０に平板な板体９１を用いることにより、この実施例２も図１２に示すように、実施例１と同様に、エンドレスコンベア９０の上面の平らな面と、トレーＴの底面の平らな面で下流側折込み代５１を挟み込んで、トレーＴ底面に折込まれた下流側折込み代５１が、エンドレスコンベア９０上面でばたつく（上下に微妙に波打つ）のを抑制することができる。このため下流側折込み代５１が上下にばたつくことにより、該折込み代５１の端部がカールすることを抑制でき包装不良をなくすることができる。しかも、トレーＴの底面に折込まれた上流側折込み代５０と下流側折込み代５１をエンドレスコンベア９０の平らな面で撫でることによりトレーＴとフィルム４４及びフィルム４４同士の接着を確実にすることができる。
【００３０】
（実施例３）
図１３は実施例３のエンドレスコンベアの一部省略平面図と正面図、図１４はエンドレスコンベアを４体のホイール５７〜６０に取り付けた場合のエンドレスコンベアの正面を示している。この実施例３のエンドレスコンベア９６は、ゴムのような弾性を有する平板な弾性板でできている。９７はエンドレスコンベア９６の引き込み開口部である。この実施例３のエンドレスコンベア９６もトレーＴの底面をエンドレスコンベア９６の平らな面で受けることにより、トレーＴの底面に折込まれた下流側折込み代５１が、エンドレスコンベア９６上面でばたつく（上下に微妙に波打つ）のを抑制することができる。このため下流側折込み代５１が上下にばたつくことにより、下流側折込み代の端部にカールができるのを抑制することができ、包装不良をなくすることができる。しかも、トレーＴの底面に折込まれた上流側折込み代５０と下流側折込み代５１をエンドレスコンベア９６の平らな面で撫でることによりトレーＴとフィルム４４及びフィルム４４同士の接着を確実にすることができる。
【産業上の利用可能性】
【００３１】
本発明は、被包装物が収納されたトレーを包装するために、帯状のフィルムを長手方向に沿って送りながら、前記トレーに被せて連続的にチューブ化して折込み代を残して裁断し、前記トレーの両端部の折込み代をトレーの底面に折込むフィルム折込み機構を備えた包装装置に有用である。
【符号の説明】
【００３２】
Ｔ    トレー
４１    引き取りコンベア
４２    搬入コンベア
４６    オーバーラップ機構
４８    フィルム裁断機
４９    チューブ状フィルム
５０    上流側折込み代
５１    下流側折込み代
５２    第１のフィルム折込み機構
５３    第２のフィルム折込み機構
５４    ヒータコンベア
５６    シュリンクトンネル
６１    エンドレスチェーン
６５    ロッド
６６    支持面
６８    上方の縁部
６９    下流側側面
７０    上流側側面
７３    引き込み開口部
７４    円柱状ロッド
７７    吸引チャンバー
７８    吸引穴
７９    エンドレスコンベア
８０    第２サイドコンベア
８１    吸引開口
９０    エンドレスコンベア
９１    板体
９２    板体本体
９３    縁部
９５    引き込み開口部
９６    エンドレスコンベア
【図１】
2018002157.tif 000003
【図２】
2018002157.tif 000004
【図３】
2018002157.tif 000005
【図４】
2018002157.tif 000006
【図５】
2018002157.tif 000007
【図６】
2018002157.tif 000008
【図７】
2018002157.tif 000009
【図８】
2018002157.tif 000010
【図９】
2018002157.tif 000011
【図１０】
2018002157.tif 000012
【図１１】
2018002157.tif 000013
【図１２】
2018002157.tif 000014
【図１３】
2018002157.tif 000015
【図１４】
2018002157.tif 000016
【図１５】
2018002157.tif 000017
【図１６】
2018002157.tif 000018